(57)【要約】【課題】胴差部から湿式シーリングを排除することができ、それでいて胴差部をしっかりと止水することができる胴差部の止水構造を提供する【解決手段】階上外壁パネル３と階下の外壁パネル２との間に、階上外壁パネル３の背面側から階下の外壁パネル２の正面側に向かって延びる、胴差方向に通しの水切り金物４が設置され、この水切り金物４で胴差部が止水されている。この水切り金物４の正面側には必要に応じて胴差部カバー６が設置される。【選択図】　　　図１
2004124439.tif 000002
【特許請求の範囲】
【請求項１】
階上外壁パネルと階下の外壁パネルとの間に、階上外壁パネルの背面側から階下の外壁パネルの正面側に向かって延びる、胴差方向に通しの水切り金物が設置され、この水切り金物で胴差部が止水されていることを特徴とする胴差部の止水構造。
【請求項２】
水切り金物の下縁部背面側に下方に垂れ下がる足が備えられ、足と水切り金物の下縁部とに階下の外壁パネルの背面側下地材が差し込まれることで、水切り金物が、その上縁部を階上外壁パネルの背面側下地材の背面側に位置させた状態で、階下の外壁パネルに保持されるようになされている請求項１に記載の胴差部の止水構造。
【請求項３】
水切り金物の上縁部正面側に固定金物の下部側が取り付けられ、水切り金物が、固定金物の上部側と水切り金物の上縁部とで階上の外壁パネルの背面側下地材を前後方向から挟み込んで、階上の外壁パネルに保持されている請求項２に記載の胴差部の止水構造。
【請求項４】
水切り金物の下縁部に、階下の外壁パネルの面材の上面部に対向する水平部が備えられ、該水平部と階下の外壁パネルの外壁面材上面部との間に下止水材が介設され、
水切り金物の上縁部正面側と階上外壁パネル背面側下地材の背面側との間に上止水材が介設され、
前記固定金物には、階上外壁パネルの下地材の下面部に当接する水平部が備えられ、
下止水材は、固定金物の水平部が階上外壁パネルの下地材の下面部に当接することにより、水切り金物の水平部と階下の外壁パネルの外壁面材上面部との間に圧縮状態となって挟み込まれ、
上止水材は、水切り金物の上縁部と固定金物の上部側とによる階上外壁パネル背面側の下地材の挟み込みによって水切り金物の上縁部と階上外壁パネルの背面側下地材との間に圧縮状態となって挟み込まれている請求項３に記載の胴差部の止水構造。
【請求項５】
前記水切り金物の正面側に胴差部カバーが設けられ、この胴差部カバーが水切り金物に対して取り付けられている請求項１乃至４のいずれか位置に記載の胴差部の止水構造。
【発明の詳細な説明】
【０００１】
【発明の属する技術分野】
本発明は、胴差部の止水構造に関する。
【０００２】
【従来の技術】
住宅等の建物の胴差部では、止水のために、胴差部用の面材の周囲、特に、階上階下の外壁パネルとの間の横目地に、湿式のシーリング処理を施していた。
【０００３】
【発明が解決しようとする課題】
しかしながら、上記のような湿式シーリングによる止水構造では、養生期間が必要となって工期に不利な影響を及ぼすという問題がある。また、外壁の縦目地が乾式化されるなかで、胴差部の横目地の止水を湿式で行うと、湿式と乾式の交差部を生じてしまい、うまく納まらせるのに苦労するという問題も派生的に生じることがある。
【０００４】
本発明は、上記のような問題点に鑑み、胴差部から湿式シーリングを排除することができ、それでいて胴差部をしっかりと止水することができる胴差部の止水構造を提供することを課題の一つとする。
【０００５】
【課題を解決するための手段】
上記の課題は、階上外壁パネルと階下の外壁パネルとの間に、階上外壁パネルの背面側から階下の外壁パネルの正面側に向かって延びる、胴差方向に通しの水切り金物が設置され、この水切り金物で胴差部が止水されていることを特徴とする胴差部の止水構造によって解決される。
【０００６】
この構造では、胴差部に胴差方向に通しの水切り金物が備えられ、その上縁部が階上外壁パネルの背面側に配置され、水切り金物の下縁部が階下の外壁パネルの正面側に向かって延ばされているので、水切り金物と階上外壁パネルとの間が止水されると共に、水切り金物と階下の外壁パネルとの間も止水され、胴差部をこの水切り金物によってしっかりと止水することができる。従ってまた、胴差部カバーを取り付けるときは、その周囲を湿式で湿式シーリング処理する必要がなくなり、胴差部から湿式シーリングを排除することができる。
【０００７】
しかも、胴差部は水切り金物で止水状態にされるから、水切り金物の正面側に胴差部カバーを備えさせるときは、胴差部カバーそれ自体に止水性能を求められることもなくなり、使用することのできる胴差部カバーの範囲を拡大することができる。
【０００８】
加えて、上記のように胴差部カバーの周囲から湿式シーリングを排除することができることにより、水切り金物の正面側に胴差部カバーを備えさせるときは、胴差部カバーの交換も容易に行うことができる。
【０００９】
上記の胴差部止水構造において、水切り金物の下縁部背面側に下方に垂れ下がる足が備えられ、足と水切り金物の下縁部とに階下の外壁パネルの背面側下地材が差し込まれることで、水切り金物が、その上縁部を階上外壁パネルの背面側下地材の背面側に位置させた状態で、階下の外壁パネルに保持されるようになされているとよい。
【００１０】
この場合は、胴差部への水切り金物の施工を、まず、水切り金物の上縁部を階上外壁パネルの背面側下地材の背面側に位置させた状態にして、足と水切り金物の下縁部とに階下の外壁パネルの背面側下地材を差し込むようにするだけで、水切り金物は仮の状態ではあるけれども胴差部に保持され、胴差部における一応の雨じまいを完了することができ、胴差部を早い時期に簡易に止水状態にしておくことができる。
【００１１】
また、これと併せて、水切り金物の上縁部正面側に固定金物の下部側が取り付けられ、水切り金物が、固定金物の上部側と水切り金物の上縁部とで階上の外壁パネルの背面側下地材を前後方向から挟み込んで、階上の外壁パネルに保持されている構造が採用されるとよい。
【００１２】
これにより、水切り金物の上部も建物にしっかりと保持され、下部の差込みと合わせて、水切り金物が胴差部にふらつくことなくしっかりと取り付けられる。
【００１３】
しかも、水切り金物の下部側を水切り金物に備えられている足による差込み式で階下の外壁パネルに保持させ、上部側を水切り金物に取り付けた固定金物による挟込み式で階上外壁パネルに保持させて取り付ける構造であるので、水切り金物の取付けに、外壁パネルへのビス打ちをなくすことができて簡素な構造で水切り金物の取付けを行うことができる。また、固定金物は水切り金物の正面側に備えられているから、水切り金物への固定金物の取付けも容易に行うことができる。更に、水切り金物背面側の足は予め取り付けておくことができ、胴差部への水切り金物の取付けに足の取付けが支障となることもない。
【００１４】
そして、水切り金物の下縁部に、階下の外壁パネルの面材の上面部に対向する水平部が備えられ、該水平部と階下の外壁パネルの外壁面材上面部との間に下止水材が介設され、
水切り金物の上縁部正面側と階上外壁パネル背面側下地材の背面側との間に上止水材が介設され、
前記固定金物には、階上外壁パネルの下地材の下面部に当接する水平部が備えられ、
下止水材は、固定金物の水平部が階上外壁パネルの下地材の下面部に当接することにより、水切り金物の水平部と階下の外壁パネルの外壁面材上面部との間に圧縮状態となって挟み込まれ、
上止水材は、水切り金物の上縁部と固定金物の上部側とによる階上外壁パネル背面側の下地材の挟み込みによって水切り金物の上縁部と階上外壁パネルの背面側下地材との間に圧縮状態となって挟み込まれているとよい。
【００１５】
この場合は、上下の止水材で、水切り金物と階上階下の外壁パネルとの間をより一層しっかりと止水することができる。
【００１６】
のみならず、上止水材は、固定金物による水切り金物の上部側の取付けを行うことによって同時に圧縮状態にすることができて施工容易に止水材を圧縮状態にすることができる。また、下止水材も、固定金物に備えられている水平部を階上外壁パネルの背面側下地材の下面部に当接させた状態に取り付けるようにすることで圧縮状態を保持することができる。従って、上下の止水材の圧縮もこうして施工容易に行うことができる。
【００１７】
また、水切り金物の正面側に胴差部カバーが設けられ、この胴差部カバーが水切り金物に対して取り付けられている場合は、胴差部カバーと水切り金物の合計重量の作用で水切り金物による止水状態をより一層しっかりとしたものにすることができる。特に、上記の上下の止水材の圧縮をよりしっかりとしたものにすることができる。
【００１８】
【発明の実施の形態】
次に、本発明の実施形態を図面に基づいて説明する。
【００１９】
図１乃至図３に示す実施形態の胴差部の止水構造において、１は胴差、２は階下の外壁パネル、３は階上外壁パネル、そして、４が水切り金物、５が固定金物、６は胴差部カバーである。
【００２０】
階上階下の外壁パネル２，３はそれぞれ、外壁面材２ａ，３ａの背面側に下地材２ｂ，３ｂを介してパネルフレーム２ｃ，３ｃを取り付けたもので、パネルフレーム２ｃ，３ｃを介して胴差１に保持されている。そして、各外壁パネル２，３の下地材２ｂ，３ｂは、発泡樹脂などの止水性のあるものからなっており、階上外壁パネル３の下地材３ｂは外壁面材３ａやパネルフレーム３ｃよりも下方に突出して備えられており、階下の外壁パネル２の下地材２ｂは外壁面材２ａやパネルフレーム２ｃよりも上方に突出して備えられている。
【００２１】
水切り金物４は、金属板の曲げ成形品からなっており、階上外壁パネル３の背面側、即ち、下地材３ｂの下方突出部の背面側から、階下の外壁パネル２の正面側、即ち、下地材２ｂの正面側に至る範囲を延び、かつ、胴差１に沿って延びる、ピース物でない通しの長物からなっていて、胴差部を止水するものである。
【００２２】
この水切り金物４には、図２（イ）に示すように、階上外壁パネル３の下地材３ｂの背面側に沿う部分４ａの正面側にスポンジ状をした上止水材７が予め取り付けられており、また、階下の外壁パネル２の下地材２ｂの正面側に沿う部分４ｂの先端部には、階下の外壁パネル２の面材２ａの上面部に対向する水平部４ｃが備えられ、この水平部４ｃの下面側に同じくスポンジ状をした下止水材８が予め取り付けられている。なお、上下の止水材７，８は外壁パネル２，３の対応部位に取り付けられていてもよい。
【００２３】
また、水切り金物４には、下縁部の背面側に下方に垂れ下がるピース物の足４ｄが予め取り付けられており、この足４ｄと水切り金物４の下縁部４ｂとの間に階下の外壁パネル２の下地材２ｂを差し込んだ状態にすることで、水切り金物４を階下の外壁パネル２に保持させることができるようになされている。
【００２４】
しかも、この足４ｄは、水切り金物４の上縁部４ａを屋外側から階上外壁パネル３の下地材３ｂの背面側に位置させた状態で、足４ｄに階下の外壁パネル２の下地材２ｂを越えさせて、下地材２ｂを足４ｄと水切り金物４の下縁部４ｂとの間に差し込むことができ、その状態で依然として水切り金物４の上縁部４ａが階上外壁パネル３の下地材３ｂの下方突出部の背面側に位置するように備えられている。
【００２５】
固定金物５は、図２（ロ）に示すように、ピース物の板状曲がり品からなっていて、上部側５ａを水切り金物４の上縁部４ａとの協働で階上外壁パネル３の下地材３ｂを前後方向から挟み込む部分とし、下部側５ｂを水切り金物４への取付け部としているものであり、水切り金物４の正面側、即ち屋外側から水切り金物４にビス９で取り付けるようになされている。そして、固定金物５において、上部側５ａと下部側５ｂとは、階上外壁パネル３の下地材３ｂの下面部に当接する水平部５ｃを介して一体に連接されている。
【００２６】
上記の水切り金物４の取付けは、次のようにして行うことができる。即ち、図４に示すように、階下階上の外壁パネル２，３の建方を終えた後、屋外側から、水切り金物４を傾けるようにして、図５に示すように、その上縁部４ａを階上外壁パネル３の下地材３ｂの背面側に位置させ、その状態で、下縁側の足４ｄに階下の外壁パネル２の下地材２ｂを越えさせ、しかる後、水切り金物４を下方に変位させ、水切り金物４の下縁部４ｂと足４ｄとの間に階下の外壁パネル２の下地材２ｂを差し込んだ状態にする。これにより、水切り金物４は、仮の状態ではあるけれども胴差部に保持され、すぐに上部側の取付けを行わなくても、胴差部における一応の雨じまいを完了することができ、胴差部を早い時期に止水状態にしておくことができる。
【００２７】
この状態では、水切り金物４の下縁の水平部４ｃの下面側に備えられた下止水材８は、水切り金物４の重量によってわずかに圧縮されるにすぎない。
【００２８】
しかる後、水切り金物４の上部側の取付けを固定金物５を用いて行う。即ち、図６に示すように、屋外側から固定金物５の水平部５ｃを階上外壁パネル３の下地材３ｂの下面部に突出させた状態にすると共に、必要に応じて、水切り金物４を押し下げるようにして水切り金物４の下縁部の水平部４ｃと階下の外壁パネル２の面材２ａの上面部との間の下止水材８を圧縮し、その状態で、固定金物５の取付け側である下部側５ｂと水切り金物４とにビス９を打ち込んで、固定金物５の下部側を水切り金物４の正面側に締め付けていく。
【００２９】
これにより、階上外壁パネル３の下地材３ｂが、固定金物５の上部側５ａと水切り金物４の上縁部４ａとで前後方向から挟み込まれ、水切り金物４の上縁部４ａが階上外壁パネル３の下地材３ｂに保持され、水切り金物４は、下縁部４ｂ側の足４ｄとの協働により、胴差部にしっかりと保持される。
【００３０】
また、ビス９の締付けによる上記の挟込みによって、上止水材７が水切り金物４の上縁部４ａと階上外壁パネル３の下地材３ｂとで挟み込まれて圧縮され、水切り金物４と階上外壁パネル３との間にしっかりとした止水状態が形成される。
【００３１】
更に、下止水材８も、固定金物５の水平部５ｃが階上外壁パネル３の下地材３ｂの下面部に当接して突っ張り作用が働くことで、水切り金物４の下縁の水平部４ｃと階下の外壁パネル２の面材２ａの上面部との間で圧縮状態を保持し、水切り金物４と階下の外壁パネルとの間にもしっかりとした止水状態が形成される。
【００３２】
特に、本実施形態では、固定金物５の水平部５ｃは、図２（ロ）に示すように、フリーな状態において、屋外側に向けて上方に傾斜するように備えられており、図７に示すように、固定金物５の下部側５ｂをビス９で水切り金物４に締め付けていって、水切り金物４の上縁部４ａと固定金物５の上部側５ａとが上下地材３ｂを挟み込んでいくと共に、水平部５ｃが階上外壁パネル３の下地材５ｂの下面側に進出していくことによって、クサビの打込み類似の作用を働かせ、水切り金物４を下方に変位させることができるようになされており、この変位によって、下止水材８をしっかりと圧縮することができるようになされている。
【００３３】
なお、この機構は、上記のように、予め水切り金物４を押し下げるようにすることとの組合せにおいて採用されてもよいし、あるいは、水切り金物４の事前押し下げ操作を省略し、この機構だけで下止水材８が圧縮状態になるようにしてもよいし、あるいはまた、この機構を省略し、事前押し下げのみで下止水材８を圧縮状態にするようにしてもよい。特に、水切り金物４を事前押し下げするのが施工上難しいような場合には、この機構を採用することによって、その困難性を排除し、水切り金物４の押し下げを施工容易に行うことができる。
【００３４】
こうして胴差部に水切り金物４を取り付けた後、その正面側を胴差部カバー６でカバーするが、本実施形態では、胴差部カバー６は、水切り金物４に対して取り付ける構成としている。
【００３５】
即ち、図３に示すように、水切り金物４の正面部には、断面ハット形の取付け金物１０が予め取り付けられており、この取付け金物１０に胴差部カバー６の側部から突出させた耳６ａをビスで取り付けるようにしている。あるいは、図示しないけれども、取付け金物１０に下地の引っ掛け金物を取り付け、この引っ掛け金物に、胴差部カバーの背面側に備えられた鉤部をかけて取り付けるようにしてもよいし、胴差部カバー６は種々の方法で水切り金物４に取り付けられてよい。
【００３６】
このように、胴差部カバー６を水切り金物４の正面側において水切り金物４に対して取り付ける構造とすることにより、水切り金物４と胴差部カバー６の合計重量によるモーメントの作用で、水切り金物４の上縁部４ａを、階上外壁パネル３の下地材３ｂの背面側に強く付勢することができ、しかも、合計重量とそのモーメントの作用によって上下の止水材７，８をそれぞれ強く圧縮することができ、胴差部の止水状態をしっかりとしたものにすることができる。
【００３７】
以上に、本発明の実施形態を示したが、本発明はこれに限られるものではなく、発明思想を逸脱しない範囲で、各種の変更が可能である。例えば、本発明では、胴差部への水切り金物の取付け構造として、上記以外の種々の構造が採用されてよい。また、胴差部カバーは水切り金物を隠すようなものであればよくその形態に制限はない。上下に横目地が見えるようにカバーするものであってもよいし、横目地を隠すようにカバーするものであってもよいし、化粧のようなものであってもよいし、壁のようなものであってもよい。また、屋外側の面を化粧仕上げした水切り金物を用いるような場合は、胴差部カバーは省略されてよいし、化粧をしない場合であってもカバーが不要なら水切り金物を屋外側に露出させたままとするのもよい。
【００３８】
【発明の効果】
本発明は、以上のとおりのものであるから、胴差部から湿式シーリングを排除することができ、それでいて胴差部をしっかりと止水することができ、しかも、胴差部の止水の施工を容易に行うことができる。
【図面の簡単な説明】
【図１】実施形態の胴差部の止水構造を示す断面側面図である。
【図２】図（イ）は水切り金物の側面図、図（ロ）は固定金物の側面図である。
【図３】同胴差部の分解断面斜視図である。
【図４】図５及び図６と共に水切り金物の取付け方法を順次に示す断面側面図である。
【図５】図４及び図６と共に水切り金物の取付け方法を順次に示す断面側面図である。
【図６】図４及び図５と共に水切り金物の取付け方法を順次に示す断面側面図である。
【図７】図（イ）（ロ）はそれぞれ図６の要部拡大断面側面図である。
【符号の説明】
１…胴差
２…階下の外壁パネル
３…階上外壁パネル
２ａ，３ａ…外壁面材
２ｂ，３ｂ…下地材
４…水切り金物
４ａ…上縁部
４ｂ…下縁部
４ｃ…水平部
４ｄ…足
５…固定金物
５ａ…上部側
５ｂ…下部側
５ｃ…水平部
６…胴差部カバー
７…上止水材
８…下止水材
【図１】
2004124439.tif 000003
【図２】
2004124439.tif 000004
【図３】
2004124439.tif 000005
【図４】
2004124439.tif 000006
【図５】
2004124439.tif 000007
【図６】
2004124439.tif 000008
【図７】
2004124439.tif 000009